(57)【特許請求の範囲】
【請求項１】
取付枠に固定された支軸から放射方向に延出された駆動用レバーと、一端が装飾体に軸着され駆動用レバーにより回動される移動用レバーとからなる移動機構により、装飾体を移動させる遊技機の可動装飾装置であって、
前記移動機構は、取付枠に支点を突設し、移動用レバーの他端に湾曲されたガイド溝を設けて、当該支点をガイド溝にスライド可能に挿入したうえに、駆動用レバーの先端を移動用レバーの前記一端から駆動用レバーと同じ長さ分離間した位置に軸着した改良スコットラッセル機構であり、
駆動用レバーを、前記支軸を中心として回動させることで装飾体を厳正直線運動させて移動させることを特徴とする遊技機の可動装飾装置。
【請求項２】
取付枠に固定された支軸から放射方向に延出された駆動用レバーと、一端が装飾体に軸着され駆動用レバーにより回動される移動用レバーとからなる移動機構により、装飾体を移動させる遊技機の可動装飾装置であって、
前記移動機構は、取付枠に支点を突設し、移動用レバーの他端に湾曲されたガイド溝を設けて、当該支点をガイド溝にスライド可能に挿入したうえに、移動用レバーを駆動用レバーの少なくとも２倍の長さとして、駆動用レバーの先端を移動用レバーの前記一端から駆動用レバーと同じ長さ分離間した位置に軸着した改良スコットラッセル機構であり、
駆動用レバーを、前記支軸を中心として回動させることで装飾体を厳正直線運動させて移動させることを特徴とする遊技機の可動装飾装置。
【請求項３】
装飾体に左右対称に移動用レバーを配設するとともに、取付枠に左右対称に駆動用レバーを軸着したうえに、左右の駆動用レバーの支軸部分から左右対称となるように部分ギアを延出させて、これらの部分ギアを噛合させたうえ、一方の駆動用レバーを回動させることにより、装飾体を移動するようにした請求項１または２に記載の遊技機の可動装飾装置。
【請求項４】
装飾体に左右対称に移動用レバーを配設するとともに、取付枠に左右対称に駆動用レバーを軸着して、左右の駆動用レバーを別個の駆動源で駆動させて装飾体を移動するようにした請求項１または２に記載の遊技機の可動装飾装置。
【請求項５】
可動装飾装置を遊技者に対して前後に２台配設して、前後のガイド溝を貫通させて支点を設けた請求項１〜４の何れかに記載の遊技機の可動装飾装置。
【発明の詳細な説明】
【技術分野】
【０００１】
本発明は、遊技機の役物に用いられる可動装飾装置に関するものである。
【背景技術】
【０００２】
遊技領域の中央部に設けられた図柄表示装置の周辺で装飾的な演出を行うものとして、
出願人の出願に係る特許文献１に開示されたものがある。このものは、図柄表示装置の上部に設けられた装飾体が、図柄表示装置の表示状態に合わせて表示画面の一部を覆うように上下動することにより、演出効果を高めるようにしたものである。しかしながら、このものにおいては、装飾体を直線的に上下動させるために、一対の縦型レールを上下方向に設置して装飾体の中程に設けた摺動部を挟むことにより装飾体の動きをガイドする必要があった。そのため、装飾体の外側に設けた摺動部が美観を損ね、装飾的演出効果を減退させてしまうという問題があった。
【特許文献１】特開２００７−３３０３５５号公報    （図１１）
【発明の開示】
【発明が解決しようとする課題】
【０００３】
本発明は、上記した従来の問題点に鑑み、装飾体の上下動をガイドする摺動部を省略できる遊技機の可動装飾装置を提供することを課題とする。
【課題を解決するための手段】
【０００４】
上記の課題を解決するためになされた本発明に係る遊技機の可動装飾装置は、取付枠に固定された支軸から放射方向に延出された駆動用レバーと、一端が装飾体に軸着され駆動用レバーにより回動される移動用レバーとからなる移動機構により、装飾体を移動させる遊技機の可動装飾装置であって、前記移動機構は、取付枠に支点を突設し、移動用レバーの他端に湾曲されたガイド溝を設けて、当該支点をガイド溝にスライド可能に挿入したうえに、駆動用レバーの先端を移動用レバーの前記一端から駆動用レバーと同じ長さ分離間した位置に軸着した改良スコットラッセル機構であり、駆動用レバーを、前記支軸を中心として回動させることで装飾体を厳正直線運動させて移動させることを特徴とするものである。
【０００５】
また、本発明の遊技機の可動装飾装置は、取付枠に固定された支軸から放射方向に延出された駆動用レバーと、一端が装飾体に軸着され駆動用レバーにより回動される移動用レバーとからなる移動機構により、装飾体を移動させる遊技機の可動装飾装置であって、前記移動機構は、取付枠に支点を突設し、移動用レバーの他端に湾曲されたガイド溝を設けて、当該支点をガイド溝にスライド可能に挿入したうえに、移動用レバーを駆動用レバーの少なくとも２倍の長さとして、駆動用レバーの先端を移動用レバーの前記一端から駆動用レバーと同じ長さ分離間した位置に軸着した改良スコットラッセル機構であり、駆動用レバーを、前記支軸を中心として回動させることで装飾体を厳正直線運動させて移動させることを特徴とするものである。
【０００６】
また、装飾体に左右対称に移動用レバーを配設するとともに、取付枠に左右対称に駆動用レバーを軸着したうえに、左右の駆動用レバーの支軸部分から左右対称となるように部分ギアを延出させて、これらの部分ギアを噛合させたうえ、一方の駆動用レバーを回動させることにより、装飾体を移動させることができる。
【０００７】
また、装飾体を横長のもとして、この装飾体に左右対称に移動用レバーを配設するとともに、取付枠に左右対称に駆動用レバーを軸着して、左右の駆動用レバーを別個の駆動源で駆動させて装飾体を移動させることができる。
【０００８】
また、装飾体に左右対称に移動用レバーを配設するとともに、取付枠に左右対称に駆動用レバーを軸着して、左右の駆動用レバーを別個の駆動源で駆動させて装飾体を移動させることができる。
【０００９】
さらに、可動装飾装置を遊技者に対して前後に２台配設し、前後のガイド溝を貫通させて支点を設けることができる。
【００１０】
請求項１及び請求項２に係る発明は、前後方向の厚みを薄くした改良スコットラッセル機構により、装飾体を移動させることができるので、従来のような移動用のガイドレールを必要としない。また、ガイドレールの省略により移動装置全体の厚みを薄くすることができる。
【００１１】
請求項３に係る発明は、左右対称に配した二つの改良型スコットラッセル機構により装飾体の二点を支えて厳正直線運動させることができるので、装飾体をふらつかせたり、傾かせたりすることがない。
【００１２】
請求項４に係る発明は、装飾体を左右不均等に移動させることができる。
【００１３】
請求項５に係る発明は、２台の可動装飾装置により遊技機をより効果的に演出することができる。
【発明を実施するための最良の形態】
【００１４】
以下に、本発明の実施形態に付いて説明する。
始めに、図１を用いてスコットラッセル機構について説明する。図示のスコットラッセル機構は、４つの点Ａ、Ｂ、Ｃ、Ｐとからなる。ＡＢ＝ＢＣ＝ＢＰである。ここで、点Ａは固定され、点Ｃは水平方向に滑り運動する。点ＰはＡＰの軸線上を直線運動するが、
ＡＢ＝ＢＣ＝ＢＰであって、Ａ、Ｃ、Ｐは点Ｂを中心として直径ＣＰの円周上にあるので、角ＰＡＣは常に直角である。よって、点Ｐは点Ｃが水平移動することにより常に垂直方向に移動することとなる。以上がスコットラッセル機構の基本態様である。
【００１５】
次に本発明の第１実施形態の可動装飾装置について、図２〜５により説明する。１は装飾用の装飾体、２は移動機構である。
この形態のものにおける移動機構２は、駆動用部材４と移動用レバー５とを備える改良スコットラッセル機構である。基本構造において、図１に示したスコットラッセル機構のものと大きく変わるところはない。
図２において、装飾体１は左右対称の二つのスコットラッセル機構２Ａ、２Ｂにより移動される。図中左側のスコットラッセル機構２Ａにおいて、駆動用部材４は、取付枠（図示せず）から突設された支軸Ａを中心に回動する駆動用レバー４１と、支軸Ａから駆動用レバー４１とは異なる２方向に延出する動力伝達用レバー４２と部分ギア４３とを有する。動力伝達用レバー４２の先端には、この動力伝達用レバー４２の先端を右方向に付勢するバネ４４が取り付けられている。動力伝達用レバー４２には長孔状の係合孔部４５が設けられている。モータＭの回転軸４６にはクランク部材４７が装着され、このクランク部材４７に設けたピン４８が係合孔部４５に挿入されることにより、モータＭの回転軸４６の回転を動力伝達用レバー４２に伝達することができる。
【００１６】
駆動用レバー４１は、移動用レバー５の中央に設けた支点Ｂに接続されている。移動用レバー５の一端には支点Ｐを介して装飾体１が回動自在に取り付けられているが、他端にはスコットラッセル機構とは異なり円弧状に湾曲されたガイド溝３２が形成されている。このガイド溝３２に取付枠から突設された支点Ｃが挿されている。
よって、水平溝３１を取付枠に設けた図２０、２１に示される通常のスコットラッセル機構と比較して薄くすることができる。
以上の支軸Ａ及び支点Ｂ、Ｃ、Ｐは図１における点Ａ、Ｂ、Ｃ、Ｐに相当し、長さはＡＢ＝ＢＰである。
【００１７】
装飾体１の右側には、左側のスコットラッセル機構２Ａと左右対称にしたスコットラッセル機構２Ｂが配設されている。即ち、左側の部分ギア４３と噛合する部分ギア４３と、支軸Ａを中心に回動する駆動用レバー４１と、駆動用レバー４２の一端が接続される支点Ｂを有する移動用レバー５と、移動用レバー５の一端が取り付けられる支点Ｐと、取付枠から突設された支点Ｃが挿入されている円弧状に湾曲されたガイド溝３２とを備えている。ただし、左側のスコットラッセル機構２Ａと異なり、動力伝達用レバー４２は備わっていない。
【００１８】
以下の装飾体の移動状態について、図２〜４により説明する。
図２においてはバネ４４が最も伸長されていて、装飾体１は最も降下された状態である。この状態からモータＭの回転軸４６が右回りに回転されると、クランク部材４７もともに回転される。これによって係合孔部４５に挿入されているピン４８が動力伝達用レバー４２を、図３に示すように、右方向に回動させる。すると、支軸Ａを中心に図中左側の駆動用レバー４１が右回りに回動されて支点Ｂは上昇される。支点Ｃに沿ってガイド溝３２が左方にスライドする結果、支点Ｐは上方に持ち上げられるので、装飾体１は図３、４の如く垂直上方に持ち上げられることになる。このとき、バネ４４は動力伝達用レバー４２を右方向に付勢しているため、装飾体１を重力に逆らって持ち上げるための手助けとなっている。
【００１９】
なお、図４においては、ＢＣ＝ＰＢであるので、移動用レバー５の長さは駆動用レバー４１の長さの２倍以上としてガイド溝３２を設けてある。
【００２０】
スコットラッセル機構が１つしかないと、装飾体１と動力伝達用レバー４２とが支点Ｐで回動自在に取り付けられている場合は、左右の均衡を保つことができずに装飾体１が支点Ｐを中心にふらついてしまう。また、装飾体１と動力伝達用レバー４２とが支点Ｐで固定されている場合は、装飾体１は支点Ｃを中心とした円弧を描いた軌跡で移動を行うため水平状態を保つことができない。装飾体１が円形状等で傾きが意匠として関係ない場合は問題がないが、本願発明のように意匠上、装飾体１の傾きが一定に維持されなければならない場合においてスコットラッセル機構が1つしかないことは問題がある。そこで、左右２つのスコットラッセル機構２Ａ，２Ｂを設けることで、動力伝達用レバー４２の回動は、二つの部分ギア４３を介して右側のスコットラッセル機構２Ｂに伝達される。右側の移動機構は左側のものと同じであるので、装飾体１の左右の均衡を保って装飾体１を上方に上昇させることができる。図４は装飾体１が最上方に持ち上げられた状態を示す図であって、遊技の通常の状態においては装飾体１はこの待機位置にある。そして、大当たり等の特別遊技状態となったときに、装飾体は上下動されて遊技の興趣を盛り上げることができる。
【００２１】
ガイド溝３２を湾曲させた訳は以下の理由による。即ち、図６に示すようにガイド溝が水平なガイド溝３１である場合には、支点Ｂが位置０〜８まで回動するに伴い、支点Ｃも位置０〜８まで移動することとなるが、その場合、ＢＣが徐々に変化して短くなっていく。よって、ＡＢ＝ＰＢ＝ＢＣとはならないため支点Ｐは位置８に至るまで厳正直線的に上昇することはできず、ずれＳをもって湾曲して上昇することとなる。移動機構２は装飾体１の左右に一対配置されているので、ずれＳが存在すると装飾体１と移動用レバー５とがこじって移動しなかったり、たとえ移動したとしても装飾体１や移動レバー５に歪みが生じてやがて損傷を生じさせたりすることとなるため、ずれＳを発生させないことが必要となる。
【００２２】
そこでガイド溝３２を、支点Ｐが厳正直線運動を行うために左から右に向って徐々に曲率半径が大きくなるような軌跡Ｘの形状とする必要がある。しかしながら、軌跡Ｘの曲率半径の変化は僅かであるので、図７に示すように、実際の支点Ｃの軌跡Ｘに近似させた一定曲率半径の円弧Ｙでもって湾曲させたガイド溝３２としてもよい。これによって、図８に示すように支点Ｐを支軸Ａの位置まで近似直線的に上昇させることができる。この場合、厳正直線運動ではないのでごく僅かなずれが存在するために、少なくとも左右のどちらか一方の支点Ｐを長孔にする必要がある。
【００２３】
なお、図９に示すように、左右の改良スコットラッセル機構２Ａ、２Ｂを別個独立のモータＭ１，Ｍ２で駆動させ、且つ支点Ｐを装飾体１に設けた水平状の長孔１１に挿着させた場合には、図１０、１１に示すように、装飾体１を傾けた状態で上昇させたうえで、水平状の待機状態に保持することができる。
【００２４】
図１２〜１９には、別の実施形態の可動装飾装置を示す。この形態のものは、図１３に示すようにして前後に二つの装飾体１Ａ、１Ｂを配置したものである。即ち、後ろ側の装飾体１Ａは改良スコットラッセル機構２ａ、２ｂを介して左側のモータＭ１に接続されている（［図１５］、［図１６］）。前側の装飾体１Ｂは改良スコットラッセル機構２ｃ、２ｄを介して右側のモータＭ２に接続されている（［図１７］、［図１８］）。それぞれの改良スコットラッセル機構には第１実施形態の可動装飾装置と同様に、バネ４４によって右方または左方に付勢された動力伝達アーム４２に支軸４９が設けられ、移動用レバー５に湾曲されたガイド溝３２を備えている。モータＭ１、Ｍ２にはバー５０が左右に移動可能に装着されており、このバー５０の先端が動力伝達用アーム４２の支軸４９に軸着されている。取付枠３からは支点Ｃが前方に向って突設されており、これら前後のガイド溝３２を貫通している。このように支点Ｃを前後で共有することで、支点Ｃを前後で別々に設けなくともよく、通常のスコットラッセル機構のものと比較して薄くすることができる。よって、モータＭ１、Ｍ２を駆動させることにより、遊技の状態に対応して装飾体Ｍ１、Ｍ２を交互又は同時に移動させて興趣を盛り上げることができる。
【００２５】
なお、図１９において、前後二つの移動用レバー５、５は、金属製の支持軸７がネジ７１により螺着されて、支点Ｃが取付枠に固定されている。
【００２６】
また、以上においては装飾体が上下に昇降される場合について説明したが、本発明においては上記した機構を横向きとして装飾体を左右の方向に移動させることができる。
【図面の簡単な説明】
【００２７】
【図１】スコットラッセル機構の説明図である。
【図２】装飾体が降下状態にある可動装飾装置を示す正面図である。
【図３】装飾体が上昇中である可動装飾装置を示す正面図である。
【図４】装飾体が上昇した可動装飾装置の正面図である。
【図５】図２の可動装飾装置の平面図である。
【図６】移動用レバーの他端に水平なガイド溝が形成された移動機構の正面図である。
【図７】湾曲状に形成したガイド溝の部分拡大図である。
【図８】移動用レバーの他端に湾曲状のガイド溝を設けた移動機構の正面図である。
【図９】支点Ｐを装飾体の長孔に挿入した可動装飾装置の正面図である。
【図１０】装飾体が上昇中である図９の可動装飾装置の正面図である。
【図１１】装飾体が上昇した図９の可動装飾装置の正面図である。
【図１２】別の実施形態の可動装飾装置を示す正面図である。
【図１３】図１２の可動装飾装置を示す平面図である。
【図１４】図１２の可動装飾装置を示す側面図である。
【図１５】後ろ側の移動機構の正面図である。
【図１６】後ろ側の移動機構の平面図である。
【図１７】前側の移動機構の正面図である。
【図１８】前側の移動機構の平面図である。
【図１９】図１２のＡ―Ａ線断面図である。
【図２０】スコットラッセル機構を用いた移動機構を備えた可動装飾装置の正面図である。
【図２１】図２０の可動装飾装置の平面図である。
【符号の説明】
【００２８】
１  装飾体、２  移動機構、３  取付枠、５  移動用レバー、３２  ガイド溝、４１  駆動用レバー、Ａ  支軸、Ｂ  支点、Ｃ  支点、Ｐ  支点、
【図１】
0005261666.tif 000002
【図２】
0005261666.tif 000003
【図３】
0005261666.tif 000004
【図４】
0005261666.tif 000005
【図５】
0005261666.tif 000006
【図６】
0005261666.tif 000007
【図７】
0005261666.tif 000008
【図８】
0005261666.tif 000009
【図９】
0005261666.tif 000010
【図１０】
0005261666.tif 000011
【図１１】
0005261666.tif 000012
【図１２】
0005261666.tif 000013
【図１３】
0005261666.tif 000014
【図１４】
0005261666.tif 000015
【図１５】
0005261666.tif 000016
【図１６】
0005261666.tif 000017
【図１７】
0005261666.tif 000018
【図１８】
0005261666.tif 000019
【図１９】
0005261666.tif 000020
【図２０】
0005261666.tif 000021
【図２１】
0005261666.tif 000022